(57)【要約】【課題】  負荷に対して複数の動作状態を設定可能で、且つ現在の動作状態を容易に判別できるタイムスイッチを提供する。【解決手段】  動作設定スイッチ４によって設定された自動、連続入、連続切、手動一時入、手動一時切の各動作に応じて負荷の運転・停止を制御し、液晶表示部５の動作表示部５ｄにおいて、操作部位置表示部５２では、自動動作によって負荷が運転しているのか、または自動動作によって負荷が停止しているのか、または手動一時入動作によって負荷が運転しているのか、または手動一時切動作によって負荷が停止しているのかを判別でき、さらに、操作部位置表示部５１，５３では、現在の動作が連続入または連続切であることが判別できる。【選択図】図１
2008157822.tif 000002
【特許請求の範囲】
【請求項１】
現在時刻を計時する時計手段と、所望の時刻に負荷を制御するためのプログラムを設定するプログラム設定手段と、設定されたプログラムを格納するプログラム記憶手段と、負荷への電源供給をオン・オフする出力手段と、出力手段のオン・オフを切り替えることで負荷の運転・停止を制御する出力制御手段と、出力制御手段の動作を自動、連続入、連続切、手動一時入、手動一時切のうちいずれかの動作に設定する動作設定手段と、本タイムスイッチの状態を表示する表示手段とを備え、
出力制御手段は、
自動の動作に設定された場合、プログラムに基づいて、現在時刻とプログラムに設定された時刻とを比較して負荷の運転・停止を制御し、
連続入の動作に設定された場合、負荷の運転状態を維持し、
連続切の動作に設定された場合、負荷の停止状態を維持し、
手動一時入の動作に設定された場合、負荷を停止状態から一時的に運転状態にし、
手動一時切の動作に設定された場合、負荷を運転状態から一時的に停止状態にし、
表示手段は、少なくとも、自動の動作が設定されて負荷が運転状態であること、自動の動作が設定されて負荷が停止状態であること、手動一時入の動作が設定されていること、手動一時切の動作が設定されていることを個別に表示する
ことを特徴とするタイムスイッチ。
【請求項２】
前記動作設定手段は、自動，連続入，連続切の３つの動作に対応した３つのポジションに移動可能な操作手段を有するスイッチであり、
操作手段が自動に対応するポジションにあって負荷が停止状態であるときに、操作手段を連続入に対応するポジションに移動させた後、再び自動に対応するポジションに戻すことによって、出力制御手段の動作を手動一時入に設定し、
操作手段が自動に対応するポジションにあって負荷が運転状態であるときに、操作手段を連続切に対応するポジションに移動させた後、再び自動に対応するポジションに戻すことによって、出力制御手段の動作を手動一時切に設定する
ことを特徴とする請求項１記載のタイムスイッチ。
【請求項３】
前記操作手段を一面に配置した筐体を備え、当該一面には、手動一時入および手動一時切の設定方法を表示した領域を設けたことを特徴とする請求項２記載のタイムスイッチ。
【請求項４】
前記出力制御手段は、
自動の動作で負荷が停止状態であるときに手動一時入の動作に設定された場合、負荷をプログラムに基づいて停止状態から運転状態に切り替えるタイミングまで手動一時入の動作を行った後、自動の動作に再び設定され、
自動の動作で負荷が運転状態であるときに手動一時切の動作に設定された場合、負荷をプログラムに基づいて運転状態から停止状態に切り替えるタイミングまで手動一時切の動作を行った後、自動の動作に再び設定され、
前記表示手段は、手動一時入の動作が設定されていること、手動一時切の動作が設定されていること、自動の動作が設定されて負荷が運転状態であること、自動の動作が設定されて負荷が停止状態であることを個別に表示する
ことを特徴とする請求項１乃至３いずれか記載のタイムスイッチ。
【発明の詳細な説明】
【技術分野】
【０００１】
本発明は、予め設定した時刻に負荷を制御するタイムスイッチに関するものである。
【背景技術】
【０００２】
従来、マイクロコンピュータを内蔵して、例えば曜日毎等の複数のプログラムを格納し、このプログラムで予め設定された時刻になると制御機器等の負荷への電源供給をオン・オフして、負荷を運転・停止制御するタイムスイッチが提供されている。
【０００３】
このような、タイムスイッチの一例としては、プログラムに基づいて自動で負荷の運転・停止を制御する自動動作と、プログラムに関係なく手動で負荷の運転・停止を制御する手動動作とを切替可能に設定するものがある。（例えば、特許文献１参照）。
【０００４】
そして、手動動作としては、マニュアルスイッチを操作することでプログラムに関係なく負荷の状態（運転または停止）を連続的に一定にするパーマネント動作と、マニュアルスイッチを操作することでプログラムに関係なく負荷の状態（運転・停止）を一時的に反転するモーメンタリ動作とがあり、
パーマネント動作としては、
（Ａ）プログラムに基づく運転・停止制御に関係なく、負荷の運転状態を連続的に維持する連続入動作と、
（Ｂ）プログラムに基づく運転・停止制御に関係なく、負荷の停止状態を連続的に維持する連続切動作とがあり、
モーメンタリ動作としては、
（Ｃ）プログラムに基づく運転・停止制御に関係なく、停止状態の負荷を一時的に運転状態にする手動一時入動作と、
（Ｄ）プログラムに基づく運転・停止制御に関係なく、運転状態の負荷を一時的に停止状態にする手動一時切動作とがある。（例えば、特許文献２参照）。
【０００５】
さらに、タイムスイッチ本体に液晶等の表示部を設けて、現在時刻や、負荷の制御状態等を表示するものもあり、現在設定されている動作を、（ａ）連続入、（ｂ）連続切、（ｃ）プログラムに基づく運転状態または手動一時入、（ｄ）プログラムに基づく停止状態または手動一時切  の４つに分けて表示するものがある。（例えば、特許文献３参照）。
【特許文献１】特公平５−２０７１６号公報
【特許文献２】特公平５−６９４７９号公報
【特許文献３】特許第２６７２９０１号公報
【発明の開示】
【発明が解決しようとする課題】
【０００６】
しかしながら、上記特許文献３において、現在設定されている動作を、（ａ）連続入、（ｂ）連続切、（ｃ）プログラムに基づく運転状態または手動一時入、（ｄ）プログラムに基づく停止状態または手動一時切  の４つに分けて表示しているが、上記（ｃ）の表示を見たユーザは、自動動作による負荷の運転なのか、あるいは手動一時入による負荷の運転なのかが判別できず、また上記（ｄ）の表示を見たユーザは、自動動作による負荷の停止なのか、あるいは手動一時切による負荷の停止なのかが判別できない。
【０００７】
また、上記特許文献２では、１つのプッシュ型スイッチを用いて、その押下時間によって上記各動作を設定しており、各動作を設定するための操作方法が分かり難いものであった。さらに、上記特許文献３では、１つのスライドスイッチと２つのプッシュ型スイッチを用いる構成、または２つのプッシュ型スイッチを用いる構成で、上記各動作を設定しており、操作部が多くてやはり操作方法が分かり難いものであった。
【０００８】
本発明は、上記事由に鑑みてなされたものであり、その目的は、負荷に対して複数の動作状態を設定可能で、且つ現在の動作状態を容易に判別できるタイムスイッチを提供することにある。
【課題を解決するための手段】
【０００９】
請求項１の発明は、現在時刻を計時する時計手段と、所望の時刻に負荷を制御するためのプログラムを設定するプログラム設定手段と、設定されたプログラムを格納するプログラム記憶手段と、負荷への電源供給をオン・オフする出力手段と、出力手段のオン・オフを切り替えることで負荷の運転・停止を制御する出力制御手段と、出力制御手段の動作を自動、連続入、連続切、手動一時入、手動一時切のうちいずれかの動作に設定する動作設定手段と、本タイムスイッチの状態を表示する表示手段とを備え、出力制御手段は、自動の動作に設定された場合、プログラムに基づいて、現在時刻とプログラムに設定された時刻とを比較して負荷の運転・停止を制御し、連続入の動作に設定された場合、負荷の運転状態を維持し、連続切の動作に設定された場合、負荷の停止状態を維持し、手動一時入の動作に設定された場合、負荷を停止状態から一時的に運転状態にし、手動一時切の動作に設定された場合、負荷を運転状態から一時的に停止状態にし、表示手段は、少なくとも、自動の動作が設定されて負荷が運転状態であること、自動の動作が設定されて負荷が停止状態であること、手動一時入の動作が設定されていること、手動一時切の動作が設定されていることを個別に表示することを特徴とする。
【００１０】
この発明によれば、表示手段の表示によって、プログラムに基づく自動動作によって負荷が運転しているのか、またはプログラムに基づく自動動作によって負荷が停止しているのか、または手動一時入動作によって負荷が運転しているのか、または手動一時切動作によって負荷が停止しているのかを個別に判別でき、したがって、負荷に対して複数の動作状態を設定可能で、且つ現在の動作状態を容易に判別できる。また、タイムスイッチに様々なモード（例えば、時計表示モード、タイマー設定モード等）を設定可能な場合、表示手段の表示をモード毎に変更することで、現在のモードを判別することができる。
【００１１】
請求項２の発明は、請求項１において、前記動作設定手段は、自動，連続入，連続切の３つの動作に対応した３つのポジションに移動可能な操作手段を有するスイッチであり、操作手段が自動に対応するポジションにあって負荷が停止状態であるときに、操作手段を連続入に対応するポジションに移動させた後、再び自動に対応するポジションに戻すことによって、出力制御手段の動作を手動一時入に設定し、操作手段が自動に対応するポジションにあって負荷が運転状態であるときに、操作手段を連続切に対応するポジションに移動させた後、再び自動に対応するポジションに戻すことによって、出力制御手段の動作を手動一時切に設定することを特徴とする。
【００１２】
この発明によれば、自動、連続入、連続切、手動一時入、手動一時切の各動作を、３ポジションのスイッチを１つ用いる簡単な構成で容易に設定できる。
【００１３】
請求項３の発明は、請求項２において、前記操作手段を一面に配置した筐体を備え、当該一面には、手動一時入および手動一時切の設定方法を表示した領域を設けたことを特徴とする。
【００１４】
この発明によれば、３ポジションのスイッチを１つ用いて手動一時入または手動一時切を設定する場合に、操作をスムーズに行うことができる。また、万一、操作方法を忘れた場合でも、説明書を取り出す必要がなく、確実に設定することができる。
【００１５】
請求項４の発明は、請求項１乃至３いずれかにおいて、前記出力制御手段は、自動の動作で負荷が停止状態であるときに手動一時入の動作に設定された場合、負荷をプログラムに基づいて停止状態から運転状態に切り替えるタイミングまで手動一時入の動作を行った後、自動の動作に再び設定され、自動の動作で負荷が運転状態であるときに手動一時切の動作に設定された場合、負荷をプログラムに基づいて運転状態から停止状態に切り替えるタイミングまで手動一時切の動作を行った後、自動の動作に再び設定され、前記表示手段は、手動一時入の動作が設定されていること、手動一時切の動作が設定されていること、自動の動作が設定されて負荷が運転状態であること、自動の動作が設定されて負荷が停止状態であることを個別に表示することを特徴とする。
【００１６】
この発明によれば、プログラムに基づく自動動作によって負荷が運転しているのか、またはプログラムに基づく自動動作によって負荷が停止しているのか、または手動一時入動作によって負荷が運転しているのか、または手動一時切動作によって負荷が停止しているのかを容易に判別できる。
【発明の効果】
【００１７】
以上説明したように、本発明では、負荷に対して複数の動作状態を設定可能で、且つ現在の動作状態を容易に判別できるという効果がある。
【発明を実施するための最良の形態】
【００１８】
以下、本発明の実施の形態を図面に基づいて説明する。
【００１９】
（実施形態）
図４は、本発明のタイムスイッチの回路ブロックを示し、マイクロコンピュータからなり、後述する各部との間で信号授受を行って各部の動作を監視、制御する制御部１と、複数のプッシュ型ボタン（２ａ〜２ｇ）からなる設定用スイッチ部２と、スライドスイッチからなるモード切替スイッチ３と、スライドスイッチからなる動作設定スイッチ４と、液晶ディスプレイからなる液晶表示部５と、複数のＬＥＤからなるＬＥＤ表示部６（６ａ，６ｂ）と、電源端子１４，１４を介して入力された商用電源から動作電源を生成する電源部７と、商用電源の停電を検出する停電検出部８と、出力端子１５，１５を介して接続された図示しない制御機器等の外部の負荷への電源供給を制御部１からの指示にしたがってオン・オフする出力部９と、現在の曜日および現在時刻を計時する時計部１０と、所望の時刻に負荷を制御するためのプログラムが格納されたプログラム記憶部１１と、制御部１の動作をリセットするリセット部１２と、制御部１を動作させるクロック信号を生成する発振部１３とを備える。ここで、制御部１が出力制御手段を構成し、出力部９が出力手段を構成し、時計部１０が時計手段を構成し、設定用スイッチ部２がプログラム設定手段を構成し、プログラム記憶部１１がプログラム記憶手段を構成し、動作設定スイッチ４が動作設定手段を構成し、液晶表示部５が表示手段を構成している。
【００２０】
タイムスイッチの外観は、図１、図２に示すように、前面を開口したボディ２１と、ボディ２１の開口に覆設するカバー２２とで構成される矩形箱状のハウジング２０を備え、カバー２２の両側部から後方に延設した係止片２２ａをボディ２１の両側面に設けた係止部２１ａに係止させることで、カバー２２をボディ２１に組み付けており、カバー２２の前面に操作、表示を行う各構成を設けている。さらに、カバー２２の前面には後面を開口した透明カバー２３が、上下面の各後縁に設けた係止片２３ａをカバー２２の側縁に係止させることでカバー２２の前面に取り付けられる。なお、本実施形態の説明における上下方向、左右方向、前後方向は、図１中の上下方向、左右方向、前後方向に基づくものとする。
【００２１】
カバー２２の前面では、時刻表示部５ａ、曜日表示部５ｂ、時刻カウント動作ドット５ｃ、動作表示部５ｄ等を設けた液晶表示部５を上部に設け、その下部に設定用スイッチ部２を設け、さらに前面右側には出力状態表示部６ａ、動作設定スイッチ４、通電状態表示部６ｂ、モード切替スイッチ３が、上下方向に並んで配置されている。また、図３に示すように、ボディ２１の後面下部には、商用電源を接続するための電源端子１４，１４と、負荷を接続するための出力端子１５，１５とが配置されている。
【００２２】
そして、電源部７は、電源端子１４，１４から入力される商用電源を降圧する降圧回路７ａと、降圧した入力を直流変換して動作電源として各部へ供給する直流変換回路７ｂとで構成され、電源の通電時には通電状態表示部６ｂが点灯する。また、停電検出部８によって商用電源の停電が検出されると、図示しない電池等で構成されるバックアップ電源からの電源供給に切り替わる。
【００２３】
また、出力部９は、制御部１からの指示にしたがって駆動信号を生成するドライブ回路９ａと、この駆動信号によって接点がオン・オフするリレー９ｂとで構成され、負荷はリレー９ｂの接点を介して電源に接続されており、リレー９ｂのオン・オフに応じて電源供給のオン・オフが切り替えられる。すなわち、リレー９ｂがオンして負荷へ電源が供給されている運転状態と、リレー９ｂがオフして負荷へ電源が供給されていない停止状態とが、制御部１によって制御されているのである。さらに、負荷を運転状態に制御しているときは出力状態表示部６ａが点灯する。
【００２４】
そして、モード切替スイッチ３は、上下方向の３ポジションにスライドする操作部３ａを備えて、上端のポジションＰ１を時計表示モード、中央のポジションＰ２をタイマー設定モード、下端のポジションＰ３を時計設定モードとして、操作部３ａのスライド位置に応じて各モードに設定される。
【００２５】
通常、操作部３ａはポジションＰ１の時計表示モードに設定されており、以下、時計表示モードでの動作について説明する。
【００２６】
時計表示モードでは、液晶表示部５の時刻表示部５ａに時計部１０で計時した現在時刻が表示され、曜日表示部５ｂには現在の曜日が表示され、時刻カウント動作ドット５ｃは１秒毎に点滅動作を行い、さらに動作設定スイッチ４の操作状態に応じて動作表示部５ｄに負荷の動作状態が表示される。
【００２７】
動作設定スイッチ４は、上下方向の３ポジションにスライドする操作部４ａを備えて、上端のポジションＰ１１を連続入、中央のポジションＰ１２を自動、下端のポジションＰ１３を連続切として、操作部４ａのスライド位置およびスライド操作に応じて、（１）自動、（２）連続入、（３）連続切、（４）手動一時入、（５）手動一時切のうちいずれかの動作が設定され、制御部１は設定された動作に応じた負荷制御を行うように、出力部９のオン・オフを切り替えて負荷の運転・停止を制御する。そして、動作表示部５ｄは、操作部４ａの上下方向のスライド位置に対応して、操作部４ａの現在のポジションを示す操作部位置表示部５１，５２，５３が上下方向に並んで設けられ、操作部４ａが上端のポジションＰ１１にあるときは上端の操作部位置表示部５１が表示され、操作部４ａが中央のポジションＰ１２にあるときは中央の操作部位置表示部５２が表示され、操作部４ａが下端のポジションＰ１３にあるときは下端の操作部位置表示部５３が表示される。
【００２８】
まず、動作設定スイッチ４の操作部４ａが中央のポジションＰ１２に位置して、（１）自動の動作が設定されている場合、制御部１はプログラム記憶部１１に格納しているプログラムに基づいて、時計部１０で計時している現在時刻とプログラムで設定された時刻（設定時刻）とを比較し、現在時刻が設定時刻に一致すると、図５に示すような負荷を運転または停止させる負荷制御を行う。そして、動作表示部５ｄでは、操作部４ａがポジションＰ１２にあることを示す操作部位置表示部５２に表示がなされ、プログラムに基づいて負荷を運転状態に制御したとき、操作部位置表示部５２は図６（ａ）に示すように「タイマー入」と表示され、プログラムに基づいて負荷を停止状態に制御したとき、操作部位置表示部５２は図６（ｂ）に示すように「タイマー切」と表示される。したがって、動作表示部５ｄを見たユーザは、操作部４ａがポジションＰ１２にあり、プログラムに基づく自動動作によって、負荷は運転状態または停止状態に制御されていることが分かる。
【００２９】
次に、動作設定スイッチ４の操作部４ａが、図７に示すように中央のポジションＰ１２から上端のポジションＰ１１に切り替えられて、（２）連続入の動作が設定されている場合、制御部１は、設定タイミングｔ０から、プログラムに基づく運転・停止制御に関係なく（図８（ａ））、負荷の運転状態を連続的に維持する連続入動作（図８（ｂ））を行う。そして、動作表示部５ｄでは、設定タイミングｔ０直前は、図６（ｂ）に示すように、操作部４ａがポジションＰ１２にあることを示す操作部位置表示部５２に、プログラムに基づく停止状態を表す「タイマー切」と表示され、設定タイミングｔ０以後は、図９に示すように、操作部４ａがポジションＰ１１にあることを示す操作部位置表示部５１に、連続入動作による運転状態を表す「連続入」と表示される。したがって、動作表示部５ｄを見たユーザは、操作部４ａがポジションＰ１１にあり、連続入動作によって、負荷は運転状態に制御されていることが分かる。
【００３０】
次に、動作設定スイッチ４の操作部４ａが、図１０に示すように中央のポジションＰ１２から下端のポジションＰ１３に切り替えられて、（３）連続切の動作が設定されている場合、制御部１は、設定タイミングｔ１０から、プログラムに基づく運転・停止制御に関係なく（図１１（ａ））、負荷の停止状態を連続的に維持する連続切動作（図１１（ｂ））を行う。そして、動作表示部５ｄでは、設定タイミングｔ１０直前は、図６（ａ）に示すように、操作部４ａがポジションＰ１２にあることを示す操作部位置表示部５２に、プログラムに基づく運転状態を表す「タイマー入」と表示され、操作タイミングｔ１０以後は、図１２に示すように、操作部４ａがポジションＰ１３にあることを示す操作部位置表示部５３に、連続切動作による停止状態を表す「連続切」と表示される。したがって、動作表示部５ｄを見たユーザは、操作部４ａがポジションＰ１３にあり、連続切動作によって、負荷は停止状態に制御されていることが分かる。
【００３１】
次に、動作設定スイッチ４の操作部４ａを、図１３に示すように中央のポジションＰ１２から上端のポジションＰ１１に切り替えた後、所定時間内に再び中央のポジションＰ１２に戻した場合、（４）手動一時入に設定され、制御部１は、設定タイミングｔ２０から、プログラムに基づく運転・停止制御に関係なく（図１４（ａ））、停止状態の負荷を一時的に運転状態にする手動一時入動作（図１４（ｂ））を行う。この手動一時入動作は、設定タイミングｔ２０から停止状態の負荷を運転状態にした後、プログラムに基づいて停止状態から運転状態に切り替えるタイミングｔ２１までを手動一時入動作による運転状態とし、タイミングｔ２１以後はプログラムに基づく自動動作によって運転・停止制御を行う。
【００３２】
そして、動作表示部５ｄでは、設定タイミングｔ２０直前は、図６（ｂ）に示すように、操作部４ａがポジションＰ１２にあることを示す操作部位置表示部５２に、プログラムに基づく停止状態を表す「タイマー切」と表示され、タイミングｔ２０〜ｔ２１までは、図１５に示すように、操作部位置表示部５２に手動一時入動作による運転状態を表す「手動一時入」と表示され、タイミングｔ２１直後は、図６（ａ）に示すように、操作部位置表示部５２にプログラムに基づく運転状態を表す「タイマー入」と表示され、以降は図６（ａ）（ｂ）に示すように、プログラムに基づく運転状態を表す「タイマー入」、またはプログラムに基づく停止状態を表す「タイマー切」が操作部位置表示部５２に表示される。
したがって、動作表示部５ｄを見たユーザは、操作部４ａがポジションＰ１２にあり、手動一時入動作によって負荷が運転状態に制御されているのか、またはプログラムに基づく自動動作によって負荷が運転状態に制御されているのかを判別できる。
【００３３】
次に、動作設定スイッチ４の操作部４ａを、図１６に示すように中央のポジションＰ１２から下端のポジションＰ１３に切り替えた後、所定時間内に再び中央のポジションＰ１２に戻した場合、（５）手動一時切に設定され、制御部１は、設定タイミングｔ３０から、プログラムに基づく運転・停止制御に関係なく（図１７（ａ））、運転状態の負荷を一時的に停止状態にする手動一時切動作（図１７（ｂ））を行う。この手動一時切動作は、設定タイミングｔ３０から運転状態の負荷を停止状態にした後、プログラムに基づいて運転状態から停止状態に切り替えるタイミングｔ３１までを手動一時切動作による停止状態とし、タイミングｔ３１以後はプログラムに基づく自動動作によって運転・停止制御を行う。
【００３４】
そして、動作表示部５ｄでは、設定タイミングｔ３０直前は、図６（ａ）に示すように、操作部４ａがポジションＰ１２にあることを示す操作部位置表示部５２に、プログラムに基づく運転状態を表す「タイマー入」と表示され、タイミングｔ３０〜ｔ３１までは、図１８に示すように、操作部位置表示部５２に手動一時切動作による停止状態を表す「手動一時切」と表示され、タイミングｔ３１直後は、図６（ｂ）に示すように、操作部位置表示部５２にプログラムに基づく停止状態を表す「タイマー切」と表示され、以降は図６（ａ）（ｂ）に示すように、プログラムに基づく運転状態を表す「タイマー入」、またはプログラムに基づく停止状態を表す「タイマー切」が操作部位置表示部５２に表示される。したがって、動作表示部５ｄを見たユーザは、操作部４ａがポジションＰ１２にあり、手動一時切動作によって負荷が停止状態に制御されているのか、またはプログラムに基づく自動動作によって負荷が停止状態に制御されているのかを判別できる。
【００３５】
上記操作部位置表示部５２では、図１９に示すように、［    ］内を２行２列の４つの部位５２ａ，５２ｂ，５２ｃ，５２ｄに分割し、左上の部位５２ａに「タイマー」と表示し、左下の部位５２ｂに「手動一時」と表示し、右上の部位５２ｃに「入」と表示し、右下の部位５２ｄに「切」と表示して、必要に応じて、部位５２ａ，５２ｂいずれかの表示「タイマー」または「手動一時」と、部位５２ｃ，５２ｄいずれかの表示「入」「切」とを組み合わせることで、操作部４ａが中央のポジションＰ１２にあるときに、プログラムに基づく自動動作によって負荷が運転しているのか、またはプログラムに基づく自動動作によって負荷が停止しているのか、または手動一時入動作によって負荷が運転しているのか、または手動一時切動作によって負荷が停止しているのかを判別できる。さらに、操作部位置表示部５１，５３では、「連続入」、「連続切」の表示がなされて、現在の動作が連続入または連続切であることが判別できる。
【００３６】
このように、本実施形態では、液晶表示部５の動作表示部５ｄに操作部位置表示部５１，５２，５３を設けることによって、動作設定スイッチ４の操作部４ａのポジションが判別でき、さらに、各操作部位置表示部５１，５２，５３では、上記（１）自動、（２）連続入、（３）連続切、（４）手動一時入、（５）手動一時切の全ての動作に対応して、負荷の動作状態を表示するので、現在の設定されている動作および負荷の動作状態を容易に判別することができる。
【００３７】
また、カバー２２前面の下部には、動作設定スイッチ４の操作部４ａによる、上記手動一時入および手動一時切の設定方法を文字で記載した領域１６が設けられ、さらにカバー２２前面の操作部４ａ近傍には、上記手動一時入および手動一時切の設定方法を操作部４ａの操作方向（矢印）で表示した領域１７ａ，１７ｂが設けられており、領域１６，１７ａ，１７ｂは、カバー２２の前面に直接印字したり、またはシールを貼り付けることによって形成される。したがって、３ポジションのスライドスイッチである動作設定スイッチ４を用いて、上記のように手動一時入または手動一時切を設定する場合に、操作をスムーズに行うことができる。また、万一、操作方法を忘れた場合でも、説明書を取り出す必要がなく、確実に設定することができる。
【００３８】
次に、モード切替スイッチ３の操作部３ａがポジションＰ２に切り替えられて、プログラム記憶部１１に格納するプログラムを設定するタイマー設定モードとなった場合の動作について説明する。なお、動作設定スイッチ４の操作部４ａは、中央のポジションＰ１２に位置しているものとする。
【００３９】
タイマー設定モード時には、図２０に示すように、液晶表示部５は週間プログラム設定画面となり、時刻表示部５ａ、曜日表示部５ｂが点滅し、動作表示部５ｄには「タイマー入」が表示され、さらにプログラム番号表示部５ｅが点滅表示される。まず、設定用スイッチ２を操作して今回設定するプログラム番号をプログラム番号表示部５ｅに表示させると、次に、月〜日ボタン２ａを押下して、負荷制御を行う曜日を選択する。月〜日ボタン２ａを押下する毎に曜日表示部５ｂの対応する曜日が点滅・点灯を繰り返し、点灯状態で選択、点滅状態で非選択となる。次に、負荷を運転状態にする時刻を設定する場合は、動作表示部５ｄに「タイマー入」を表示させ、負荷を停止状態にする時刻を設定する場合は、動作表示部５ｄに「タイマー切」を表示させる。次に、負荷の運転・停止制御を行う時刻を時ボタン２ｂ、分ボタン２ｃを押下して設定し、最後に設定ボタン２ｄを押下することで、上記設定した曜日、時刻で負荷を運転・停止制御するプログラムがプログラム記憶部１１に格納され、次のプログラム番号の週間プログラム設定画面となる。また、取消ボタン２ｄを押下することで、当該プログラム番号の設定内容が取り消される。
【００４０】
次に、モード切替スイッチ３の操作部３ａがポジションＰ３に切り替えられて、時計部１０で計時している現在時刻を設定する時計設定モードとなった場合の動作について説明する。なお、動作設定スイッチ４の操作部４ａは、中央のポジションＰ１２に位置しているものとする。
【００４１】
時計設定モード時には、図２１に示すように、液晶表示部５は時刻設定画面となり、時刻表示部５ａ、曜日表示部５ｂ、時刻カウント動作ドット５ｃが点滅する。そして、月〜日ボタン２ａのいずれかを押下すると、押下した曜日のみが曜日表示部５ｂに表示されるので、現在の曜日を選択する。次に、時ボタン２ｂ、分ボタン２ｃを押下して現在時刻を設定する。
【００４２】
秒の設定は、設定ボタン２ｄによって行い、押下している間は時刻カウント動作ドット５ｃが点灯状態となって、時計部１０の秒カウンターが「００」で停止し、押下状態を解除した時点から時刻カウント動作ドット５ｃが点滅状態となって、時計部１０の秒カウンターがカウントを開始する。
【００４３】
また、リセットボタン２ｆを押下すると、リセット部１２によって制御部１の動作がリセットされる。また、＋１ｈボタン２ｇを１回押下すると、時計部１０による現在時刻を１時間早めてサマータイムに設定され、＋１ｈボタン２ｇを再度押下すると、時計部１０による現在時刻を１時間遅くしてサマータイムの設定が解除される。
【００４４】
なお、設定用スイッチ２を構成する各プッシュ型ボタンには、押圧された導電ゴムが、プリント基板に形成されたパターンに導通することによって、オン・オフ操作される所謂導電ゴムスイッチが用いられる。
【００４５】
このようなタイムスイッチによる負荷の制御動作の概略は、図２２のフローチャートに示され、動作を開始すると（ステップＳ１）、時計部１０が現在時刻の計時動作を行い（ステップＳ２）、動作設定スイッチ４によって設定された動作が自動であるか否かを判定し（ステップＳ３）、自動動作であれば、制御部１は、計時している現在時刻とプログラムで設定された時刻とを比較し（ステップＳ４）、現在時刻が設定時刻と一致した場合に、プログラムに基づいて自動動作を行う（ステップＳ５）。
【００４６】
自動動作でなければ、動作設定スイッチ４によって設定された動作が連続入動作または連続切動作であるか否かを判定し（ステップＳ６）、連続入動作または連続切動作であれば、連続入動作または連続切動作を行う（ステップＳ７）。
【００４７】
連続入動作または連続切動作でなければ、動作設定スイッチ４によって設定された動作が手動一時入動作または手動一時切動作であるか否かを判定し（ステップＳ８）、手動一時入動作または手動一時切動作であれば、手動一時入動作または手動一時切動作を行う（ステップＳ９）。
【図面の簡単な説明】
【００４８】
【図１】実施形態のタイムスイッチを示す正面図である。
【図２】同上の斜視図である。
【図３】同上の後面図である。
【図４】同上の回路ブロック図である。
【図５】同上のプログラムに基づく自動動作による制御を示す図である。
【図６】（ａ）（ｂ）同上の自動動作時の液晶表示部を示す図である。
【図７】同上の連続入動作時の動作設定スイッチの状態を示す図である。
【図８】（ａ）（ｂ）同上の連続入動作とプログラム動作との関係を示す図である。
【図９】同上の連続入動作時の液晶表示部を示す図である。
【図１０】同上の連続切動作時の動作設定スイッチの状態を示す図である。
【図１１】（ａ）（ｂ）同上の連続切動作とプログラム動作との関係を示す図である。
【図１２】同上の連続切動作時の液晶表示部を示す図である。
【図１３】同上の手動一時入動作時の動作設定スイッチの状態を示す図である。
【図１４】（ａ）（ｂ）同上の手動一時入動作とプログラム動作との関係を示す図である。
【図１５】同上の手動一時入動作時の液晶表示部を示す図である。
【図１６】同上の手動一時切動作時の動作設定スイッチの状態を示す図である。
【図１７】（ａ）（ｂ）同上の手動一時切動作とプログラム動作との関係を示す図である。
【図１８】同上の手動一時切動作時の液晶表示部を示す図である。
【図１９】同上の中央の操作部位置表示部を示す図である。
【図２０】同上のタイマー設定モード時の液晶表示部を示す図である。
【図２１】同上の時計設定モード時の液晶表示部を示す図である。
【図２２】同上の負荷の制御動作の概略を示すフローチャート図である。
【符号の説明】
【００４９】
１  制御部
２  設定用スイッチ部
３  モード切替スイッチ
４  動作設定スイッチ
５  液晶表示部
５ｄ  動作表示部
５１，５２，５３  操作部位置表示部
９  出力部
１０  時計部
１１  プログラム記憶部
【図１】
2008157822.tif 000003
【図２】
2008157822.tif 000004
【図３】
2008157822.tif 000005
【図４】
2008157822.tif 000006
【図５】
2008157822.tif 000007
【図６】
2008157822.tif 000008
【図７】
2008157822.tif 000009
【図８】
2008157822.tif 000010
【図９】
2008157822.tif 000011
【図１０】
2008157822.tif 000012
【図１１】
2008157822.tif 000013
【図１２】
2008157822.tif 000014
【図１３】
2008157822.tif 000015
【図１４】
2008157822.tif 000016
【図１５】
2008157822.tif 000017
【図１６】
2008157822.tif 000018
【図１７】
2008157822.tif 000019
【図１８】
2008157822.tif 000020
【図１９】
2008157822.tif 000021
【図２０】
2008157822.tif 000022
【図２１】
2008157822.tif 000023
【図２２】
2008157822.tif 000024